【手続補正書】
【提出日】平成27年7月30日(2015.7.30)
【手続補正１】
【補正対象書類名】特許請求の範囲
【補正対象項目名】全文
【補正方法】変更
【補正の内容】
【特許請求の範囲】
【請求項１】
ストロボ発光時に撮影された画像データに基づいて第１のホワイトバランス補正値を算出するとともに、ストロボ非発光時に撮影された画像データに基づいて第２のホワイトバランス補正値を算出する補正値算出手段と、
前記ストロボ発光時に撮影された画像データに対応する撮影条件、又は、前記ストロボ発光時に撮影された画像データの色情報から得られるシーン情報を取得する取得手段と、
前記撮影条件又は前記シーン情報に基づいて、前記第１のホワイトバランス補正値及び前記第２のホワイトバランス補正値のうちの少なくとも何れか一方を補正する補正値補正手段と、
前記補正値補正手段により出力される前記第１のホワイトバランス補正値に基づいて、前記ストロボ発光時に撮影された画像データから第１の画像データを生成するとともに、前記補正値補正手段により出力される前記第２のホワイトバランス補正値に基づいて、前記ストロボ非発光時に撮影された画像データから第２の画像データを生成する生成手段と、
前記ストロボ非発光時に撮影された画像データの輝度値と前記ストロボ発光時に撮影された画像データの輝度値とに基づいて、外光の輝度成分とストロボ光の輝度成分とを算出する成分算出手段と、
前記外光の輝度成分と前記ストロボ光の輝度成分とに基づいて、前記第１の画像データと前記第２の画像データとの合成比率を算出する合成比率算出手段と、
前記合成比率算出手段により算出された合成比率に基づいて、前記第１の画像データと前記第２の画像データとを合成する合成手段とを有することを特徴とする画像処理装置。
【請求項２】
前記撮影条件は、前記ストロボ発光時に撮影された画像データの撮影時における、撮影レンズの焦点距離、被写体距離、ストロボのガイドナンバ及びＩＳＯ感度のうちの少なくとも何れか一つを含むことを特徴とする請求項１に記載の画像処理装置。
【請求項３】
前記シーン情報は、前記ストロボ発光時に撮影された画像データの彩度及びコントラストのうちの少なくとも何れか一つを含むことを特徴とする請求項１に記載の画像処理装置。
【請求項４】
前記第１のホワイトバランス補正値と前記第２のホワイトバランス補正値との色温度の差分を算出する色温度差分算出手段と、
被写体又は撮像装置の動き量を算出する動き量算出手段とを更に有し、
前記補正値補正手段は、さらに前記色温度の差分及び前記動き量に基づいて、前記第１のホワイトバランス補正値及び前記第２のホワイトバランス補正値のうちの少なくとも何れか一方を補正することを特徴とする請求項１乃至３の何れか１項に記載の画像処理装置。
【請求項５】
前記補正値補正手段は、前記第１のホワイトバランス補正値と前記第２のホワイトバランス補正値とが近付く方向に補正することを特徴とする請求項１乃至４の何れか１項に記載の画像処理装置。
【請求項６】
前記合成比率算出手段は、ブロック毎の前記外光の輝度成分と前記ストロボ光の輝度成分とに基づいて、前記第１の画像データと前記第２の画像データとの合成比率をブロック毎に算出することを特徴とする請求項１乃至５の何れか１項に記載の画像処理装置。
【請求項７】
前記合成比率算出手段は、画素補間処理により、ブロック毎の合成比率から画素毎の合成比率を算出することを請求項６に記載の画像処理装置。
【請求項８】
前記合成手段は、各ブロックの輝度値に応じて、該当するブロックの合成処理を実行するか否かを制御することを特徴とする請求項１乃至７の何れか１項に記載の画像処理装置。
【請求項９】
前記補正値算出手段は、光源に対して任意の色味を残すように前記第２のホワイトバランス補正値を算出することを特徴とする請求項１乃至８の何れか１項に記載の画像処理装置。
【請求項１０】
画像処理装置によって実行される画像処理方法であって、
ストロボ発光時に撮影された画像データに基づいて第１のホワイトバランス補正値を算出するとともに、ストロボ非発光時に撮影された画像データに基づいて第２のホワイトバランス補正値を算出する補正値算出ステップと、
前記ストロボ発光時に撮影された画像データに対応する撮影条件、又は、前記ストロボ発光時に撮影された画像データの色情報から得られるシーン情報を取得する取得ステップと、
前記撮影条件又は前記シーン情報に基づいて、前記第１のホワイトバランス補正値及び前記第２のホワイトバランス補正値のうちの少なくとも何れか一方を補正する補正値補正ステップと、
前記補正値補正ステップにより出力される前記第１のホワイトバランス補正値に基づいて、前記ストロボ発光時に撮影された画像データから第１の画像データを生成するとともに、前記補正値補正ステップにより出力される前記第２のホワイトバランス補正値に基づいて、前記ストロボ非発光時に撮影された画像データから第２の画像データを生成する生成ステップと、
前記ストロボ非発光時に撮影された画像データの輝度値と前記ストロボ発光時に撮影された画像データの輝度値とに基づいて、外光の輝度成分とストロボ光の輝度成分とを算出する成分算出ステップと、
前記外光の輝度成分と前記ストロボ光の輝度成分とに基づいて、前記第１の画像データと前記第２の画像データとの合成比率を算出する合成比率算出ステップと、
前記合成比率算出ステップにより算出された合成比率に基づいて、前記第１の画像データと前記第２の画像データとを合成する合成ステップとを有することを特徴とする画像処理方法。
【請求項１１】
ストロボ発光時に撮影された画像データに基づいて第１のホワイトバランス補正値を算出するとともに、ストロボ非発光時に撮影された画像データに基づいて第２のホワイトバランス補正値を算出する補正値算出ステップと、
前記ストロボ発光時に撮影された画像データに対応する撮影条件、又は、前記ストロボ発光時に撮影された画像データの色情報から得られるシーン情報を取得する取得ステップと、
前記撮影条件又は前記シーン情報に基づいて、前記第１のホワイトバランス補正値及び前記第２のホワイトバランス補正値のうちの少なくとも何れか一方を補正する補正値補正ステップと、
前記補正値補正ステップにより出力される前記第１のホワイトバランス補正値に基づいて、前記ストロボ発光時に撮影された画像データから第１の画像データを生成するとともに、前記補正値補正ステップにより出力される前記第２のホワイトバランス補正値に基づいて、前記ストロボ非発光時に撮影された画像データから第２の画像データを生成する生成ステップと、
前記ストロボ非発光時に撮影された画像データの輝度値と前記ストロボ発光時に撮影された画像データの輝度値とに基づいて、外光の輝度成分とストロボ光の輝度成分とを算出する成分算出ステップと、
前記外光の輝度成分と前記ストロボ光の輝度成分とに基づいて、前記第１の画像データと前記第２の画像データとの合成比率を算出する合成比率算出ステップと、
前記合成比率算出ステップにより算出された合成比率に基づいて、前記第１の画像データと前記第２の画像データとを合成する合成ステップとをコンピュータに実行させるためのプログラム。
【請求項１２】
ストロボ発光時に撮影された画像データに対応する第１のホワイトバランス補正値を設定するとともに、ストロボ非発光時に撮影された画像データに対応する第２のホワイトバランス補正値を設定する設定手段と、
前記ストロボ発光時に撮影された画像データに対応する撮影条件、又は、前記ストロボ発光時に撮影された画像データの色情報から得られるシーン情報を取得する取得手段と、
前記撮影条件又は前記シーン情報が所定の条件を満たす場合、前記第１のホワイトバランス補正値及び前記第２のホワイトバランス補正値のうちの少なくとも何れか一方について、第１のホワイトバランス補正値と第２のホワイトバランス補正値の差が小さくなるように補正する補正手段と、
前記補正手段により出力される前記第１のホワイトバランス補正値と前記第２のホワイトバランス補正値を用いて、第１の画像データと第２の画像データとを生成する生成手段と、
前記ストロボ非発光時に撮影された画像データの輝度値と前記ストロボ発光時に撮影された画像データの輝度値とに基づいて、外光の輝度成分とストロボ光の輝度成分とを算出する成分算出手段と、
前記外光の輝度成分と前記ストロボ光の輝度成分とに基づいて、前記第１の画像データと前記第２の画像データとの合成比率を算出する合成比率算出手段と、
前記合成比率算出手段により算出された合成比率に基づいて、前記第１の画像データと前記第２の画像データとを合成する合成手段とを有することを特徴とする画像処理装置。